(57)【要約】【課題】本発明は、潜水に使用される自給気又は送気式水中呼吸装置であって、滑らかな吸吸が行なえる第２段減圧部の提供にある。【解決手段】スライド弁は、ゴム弁が設置される先端部弁体の外径面と、デマンド・レバーが設置される基端部弁体の外径面とが、デマンド・ボディの内径面に気密にスライドを行い、かつ前記スライド弁は、基端部弁体の内径面がデマンド弁のノズル部の外径面に気密にスライドを行う自給気式又は送気式水中呼吸装置の第２段減圧部。【選択図】図７
2018167598.tif 000002
【特許請求の範囲】
【請求項１】
スライド弁は、ゴム弁が設置される先端部弁体の外径面と、デマンド・レバーが設置される基端部弁体の外径面とが、デマンド・ボディの内径面に気密にスライドを行い、かつ前記スライド弁は、基端部弁体の内径面がデマンド弁のノズル部の外径面に気密にスライドを行う自給気式又は送気式水中呼吸装置の第２段減圧部。
【請求項２】
前記スライド弁の先端部弁体と基端部弁体とは隔離してあり、その間を連結部材が設けられている請求項１の自給気式又は送気式水中呼吸装置の第２段減圧部。
【請求項３】
前記ゴム弁の弁座とデマンド・ボディの噴出孔がケースの中心となるマウス・ピースの直前に設けられてなる請求項１又は請求項２自給気式又は送気式水中呼吸装置の第２段減圧部。
【請求項４】
前記スライド弁の先端部弁体と基端部弁体は同一端面積に形成されてなる請求項１、請求項２又は請求項３の自給気式又は送気式水中呼吸装置の第２段減圧部。
【発明の詳細な説明】
【技術分野】
【０００１】
本発明は、潜水に使用される自給気式水中呼吸装置及び送気式水中呼吸装置における第２段減圧部に関するものである。
【背景技術】
【０００２】
従来の自給気式水中呼吸装置１ａは、図１の空気通路系統図に示すように、タンクＡにバルブＢを介して第１段減圧部Ｃに連通され、バルブＢを開けると、タンクＡの中の高圧空気（１５０〜２００ｋｇ／ｃｍ２）が第１段減圧部Ｃで９〜１１ｋｇ／ｃｍ２の中圧空気に減圧され、それから中圧ホースＤにより第２段減圧部Ｅａに送られ、該第２段減圧部Ｅａにおいてダイバーが呼吸できる環境圧に減圧されるものである。
【０００３】
図２の従来の第２段減圧部Ｅａは、デマンド弁１６ａのノズル部１６ａ１のノズル先端部１６ａ１１とスライド弁２１ａの後端に設置されたゴム弁２０の弁座２０ａとが接してデマンド弁１６ａが閉じた状態にある時、中圧空気は噴出しないように設けられる。
【０００４】
従来の第２段減圧部Ｅａのデマンド・ボディ１２ａ内において、前記スライド弁２１ａの前端面２１ａ３に配置されたスプリング受部２１ａ６がスプリング２２の一端に接続され、該スプリング２２の他端に設置されたスプリング受け２３を介してデマンド・ボディ１２ａの先端部１２ａ３の先端部内径ネジ１２ａ３２と螺合する調節ネジを有する調節ネジ２５が接続され、この調節ネジ２５の外端は摘み部２７に設けられ、この摘み部２７を摘まんで調節ネジ２５を回転し、デマンド・ボディ１２ａの先端部１２ａ３内を進退させて前記ノズル先端部１６ａ１１とスライド弁２１ａのゴム弁２０の弁座２０ａとの接触閉鎖を維持して中圧空気がノズル先端部１６ａ１１から噴出する圧力を調節できるように構成されている。
【０００５】
また、前記デマンド弁１６ａは、図２に示す状態の時、第２段減圧部Ｅａのケース９ａの内部の空気の圧力は陸上（船上）でも或いは水中でも外圧（雰囲気圧）と完全に一致し圧力がバランス状態にある。
【０００６】
ダイバーが潜水して吸気するためには、このバランスを崩し、デマンド弁１６ａを開いて中圧空気がケース９ａ中に噴出させる必要がある。ケース９ａ内の圧力を潜水深度圧よりやや低い圧力（負圧）にすると、第２段減圧部Ｅａのデマンド弁１６ａが開いて中圧空気を噴出し、吸気が可能となる。その負圧は１５〜５０ｍｍＨ２Ｏ位であるが、数値が小さい程、楽な吸気ということになる。
【０００７】
密閉されたケース９ａの一部には、ダイバーがくわえるための開孔部９ａ１が設けられ、ゴム製のマウス・ピース７が取り付けられている。ダイバーが吸気をすると、図３に示すように、ケース９ａの内圧は潜水深度より負圧（１０〜５０ｍｍＨ２Ｏ）となるため、ダイヤフラム５が引き寄せられ、倍力とするための梃子であるデマンド・レバー１９ａが働き、中圧空気を閉じていたデマンド弁１６ａを開き、中圧空気はケース９ａ内に噴出・減圧し、ダイバーは吸気できる。吸気を止めるとスプリング２２の力でデマンド弁１６ａは閉じる。ダイバーが排気すると、ケース９ａ内の空気の圧力は潜水深度圧より高く（陽圧）なり、その圧力により空気は排気弁１０より排出され、元のバランスした空気圧となる。
【０００８】
このように、従来の自給気式水中呼吸装置１ａは、特許文献１、２に開示されており、ダイバーが必要な時だけ作動する弁機構のためデマンドシステム（デマンド式）といわれる。タンクＡ内の高圧空気を有効に使用できるため世界中で使用されている。
【先行技術文献】
【特許文献】
【０００９】
【特許文献１】特開２００１−８８７８２号公報
【特許文献２】特開平５−２０１３８４号公報
【発明の概要】
【発明が解決しようとする課題】
【００１０】
前述のように、世界中で一般的に販売され、使用されている前記従来の自給気式水中呼吸装置１ａの第２段減圧部Ｅａの欠点について説明すると、デマンド・ボディ１２ａには、デマンド・レバー１９ａの基端部１９ａ２、１９ａ２を入れて回動するために、外径面１２ａ１と内径面１２ａ２を半分以上横断する断面の切欠部３３ａが設けられる（図４〜図６参照）。
【００１１】
同様に、スライド弁２１ａに、デマンド・レバー１９ａの基端部１９ａ２、１９ａ２を嵌入して連繋する連繋溝３４ａ、３４ａが設けられる（図４〜６参照）。
【００１２】
ダイバーが吸気をすると、ケース９内の圧力は負圧となり、中圧空気がノズル先端部１６ａ１１からデマンド・ボディ１２ａ内に噴出し、該墳出空気を膨張・減圧してデマンド・ボディ１２ａの噴出孔３６ａと前記切欠部３３ａからのケース９ａ内に噴出するものであった。
【００１３】
そこで、第１に、前記デマンド・ボディ１２ａの噴出孔３６ａから噴出してケース９ａに噴出する空気の流れの欠点を説明すると、ノズル先端部１６ａ１１から噴出した中圧空気は、前記デマンド・ボディ１２ａとスライド弁２１ａとの隙間通路３５を通り、デマンド・ボディ１２ａの内部を通って噴出孔３６ａから噴出し、ケース９ａに送出され(図３、図１０参照)、ダイバーの肺に入るのであるが、この時は、ケース９ａ内において、膨張・減圧中であるからスライド弁２１ａに、その膨張中の空気の圧力が作用し、スライド弁２１ａを戻す（閉じる）力として作用する。スライド弁２１ａの弁座２０ａがノズル先端部１６ａ１１に近づくと、中圧空気の噴出が少なくなるので、ダイバーは、強く吸気をすることになり、吸気の脈動の原因となっている。
【００１４】
第２に、前記デマンド・ボディ１２ａの切欠部３３ａからケース９ａに噴出する空気の流れの欠点を説明すると、ケース９ａには上記同様に膨張中の空気が流入し、ケース９ａ内の圧力が急激に上昇してダイヤフラム５が膨らむので、デマンド・レバー１９ａがスプリング２２の作用でダイヤフラム５に追従して元の状態に戻ろうとしてスライド弁２１ａをノズル先端部１６ａ１１に近づけるから、デマンド・ボディ１２ａへ中圧空気の噴出が絞られる。
【００１５】
前記デマンド・ボディ１２ａの中圧空気の噴出が弱くなると、ダイバーは吸気の途中であり吸気が不十分となるから、強く吸気をするものである。よって、ケース９ａ内は陰圧となってダイヤフラム５とデマンド・レバー１９ａとともに引き寄せられてデマンド弁１６ａがノズル先端部１６ａ１１から離れて中圧空気を強く噴出する。そして、噴出した中圧空気は、再び前述のように膨張・減圧されてケース９ａ内に流入するのである。
【００１６】
従来の自給気式水中呼吸装置１ａの第２段減圧部Ｅａは、前述のような空気の流れを繰り返しながら使用されている。そのためダイバーの吸気は、滑らかな吸気とは言えず、波のある吸気、すなわち、脈動となっている。わずかな脈動ではあるが、陸上では有り得ない吸気のため、なれるためには時間を必要とするものである。
【００１７】
本発明の自給気式水中呼吸装置又は送気式水中呼吸装置の第２段減圧部装置は、前述の欠点を解消し、ほぼ陸上と同様の感覚である脈動のない呼吸法を可能としたものである。
【００１８】
また、本発明の自給気式水中呼吸装置又は送気式水中呼吸装置の第２段減圧部装置は、基本的な構成部品は、従来品と変わりなく、組立、分解も非常に簡単に行えることが利点となっている。
【課題を解決するための手段】
【００１９】
スライド弁は、ゴム弁が設置される先端部弁体の外径面と、デマンド・レバーが設置される基端部弁体の外径面とが、デマンド・ボディの内径面に気密にスライドを行い、かつ前記スライド弁は、基端部弁体の内径面がデマンド弁のノズル部の外径面に気密にスライドを行う自給気式又は送気式水中呼吸装置の第２段減圧部にある。
【００２０】
前記スライド弁の先端部弁体と基端部弁体とは隔離してあり、その間を連結部材が設けられている。
【００２１】
前記ゴム弁の弁座とデマンド・ボディの噴出孔がケースの中心となるマウス・ピースの直前に設けられている。
【００２２】
前記スライド弁の先端部弁体と基端部弁体は同一端面積に形成されている。
【発明の効果】
【００２３】
本発明の自給気式又は送気式水中呼吸装置の第２段減圧部のスライド弁は、前部先端弁体と後部基端弁体が前後に離隔して連結部材により連結される構造のため、前部先端弁体の後端面にゴム弁を配備することができ、このゴム弁をケースの中心であるデマンド・ボディの噴出孔の直前に配置させ、この噴出孔からマウス・ピースに送気減圧させることができる。
【００２４】
本発明の自給気式又は送気式水中呼吸装置の第２段減圧部のスライド弁は、前部先端弁体と後部基端弁体が前後に離隔して連結部材により連結され、全長が長くなるが一体構造のため、デマンド・ボディの内径面を安定してスライドするものである。
また、スライド弁の内径面は長くなったデマンド弁のノズル部の外径面を案内面として安定してスライドするものである。
【００２５】
本発明の自給気式又は送気式水中呼吸装置の第２段減圧部のデマンド・ボディの基端部の基端部外径ネジが中圧ホースのジョイントに螺合されて取付けられ、デマンド・ボディの内径面とデマンド弁のノズル部の外径面はＯ−リングによりシールされるから中圧空気のシールは完全である。
【００２６】
本発明の自給気式又は送気式水中呼吸装置の第２段減圧部において、デマンド・ボディとデマンド弁のノズル部はＯ−リングによりシールされ、中圧ホースにより送られて来た中圧空気（９〜１１ｋｇ／ｃｍ２）の強力な圧力を受けるから、デマンド・ボディの基端部内径面の基端部内径ネジとデマンド弁のノズル部の基端部外径面の基端部外径ネジとには調心力が作用して締め付けられ、完全に同一中心、同一軸となり、その間にできる空間は、完全な円筒径になり、この中をスライド弁はスライドすることになるから非常に滑らかな作動となる。
【００２７】
中圧ホースを通じて送られてくる中圧空気の管の断面積は、デマンド弁のノズル先端部とスライド弁の前部先端弁体の後端面のゴム弁とで構成される「弁」の開孔部まで同一断面積のままであり、中圧空気の流量抵抗が増大することは一切なく、スムーズな空気流路を構成できる。
【００２８】
本発明の自給気式又は送気式水中呼吸装置の第２段減圧部装置のデマンド弁のノズル先端部から噴出された中圧空気は膨張・減圧が瞬時に起き、噴出孔からケース内に流れて全ての空気がマウス・ピースを通じてダイバーの肺に入るため、呼吸に対する抵抗感が全くなく、非常に軽い呼吸となる。
【００２９】
さらに、前記作用を増幅させているのが、スライド弁の形状である。スライド弁は必ず膨張した中圧空気の「空気圧力」を受け、「応力」が発生し、「前方」または「後方」へ移動しようとするものであるが、圧力を受けるスライド弁の前部先端弁体と後部基端弁体の夫々の端面の面積が完全に同一に形成されている。そのため、スライド弁にかかる前後方向の応力は、いかなる時でも平衡を保ち、バランス状態にある。そして、ダイバーの強い吸気や弱い吸気、静かな吸気や激しい吸気、吸気と排気が激しく交互する呼吸などあらゆる呼吸の状態にスライド弁は、デマンド・レバーの開閉作動に対応して僅かな力で前後に移動し、スムーズに作動するものである。
【００３０】
スライド弁は、バックアップリングの持つ特性により動きは非常に滑らかになり、従来の自給気式水中呼吸装置における吸気の脈動は完全に解消され、当社内の測定では、吸気抵抗は５〜８ｍｍＨ２Ｏとなり、陸上の吸気に近い状態に改善されたのである。
【００３１】
本発明の自給気又は送気式水中呼吸装置における第２段減圧部装置は、以上の利点を有するが、スライド弁の部品としてピストンリング（ＪＩＳ［Ｂ２４０７］によるバックアップリング）だけ追加した。それも、ＪＩＳ指定の規格品を２種、計３個のみであるから非常に安価である。
【図面の簡単な説明】
【００３２】
【図１】従来の自給気式水中呼吸装置の空気通路系統図である。
【図２】従来の自給気式水中呼吸装置の第２段減圧部のデマンド弁が閉じた状態の中心横断面図である。
【図３】同じく、従来の自給気式水中呼吸装置の第２段減圧部のダイバーの吸気によりデマンド弁が開いた状態の中心横断面図である。
【図４】同じく、従来の自給気式水中呼吸装置の第２段減圧部のデマンド弁が閉じた状態のデマンド・レバーとスライド弁との連繋関係を示す横断面図である。
【図５】同じく、従来の自給気式水中呼吸装置の第２段減圧部のデマンド弁が開いた状態のデマンド・レバーとスライド弁との連繋関係を示す縦断面図である。
【図６】図５のＡ−Ａ線に沿う断面図である。
【図７】本発明の自給気式水中呼吸装置の第２段減圧部のデマンド弁が閉じた状態の中心横断面図である。
【図８】同じく、ダイバーの吸気によりデマンド弁が開いた状態の中心横断面図である。
【図９】同じく、ダイバーの吸気によりデマンド弁が開いた状態のデマンド・レバーとスライド弁の連繋状態を示す縦断正面図である。
【図１０】図７のＢ−Ｂ線に沿う、従来の自給気式水中呼吸装置の第２段減圧部及び本発明の自給気式水中呼吸装置の第２段減圧部のデマンド弁が閉じた状態のダイヤフラムとデマンド・レバーの対応位置及びマウス・ピースと排気口の位置を示す縦断面図である。
【図１１】本発明のスライド弁単体の一部切欠き正面図である。
【図１２】同じく、スライド弁単体の右側面図である。
【図１３】同じく、デマンド弁が閉じた状態のデマンド・レバーとスライド弁の連繋状態を示す縦断正面図である。
【図１４】同じく、ダイバーの吸気によりデマンド弁が開いた状態のデマンド・レバーとスライド弁の連繋状態を示す断面図である。
【図１５】図１４のＣ−Ｃ線に沿う断面図である。
【発明を実施するための形態】
【００３３】
デマンド・レバーをケースの中圧ホース取付側の内壁側に設置するようにデマンド・ボディを設け、デマンド・ボディの減圧空気の噴出孔はケースの中心部に設置し、デマンド・ボディ内においてスライドするスライド弁は、デマンド・ボディの内径面を気密にシールしてスライドする外径面と、後端面に弁座が設けられる先端部弁体と、デマンド・ボディの内径面を気密にシールしてスライドする外径面と、デマンド弁のノズル部の外径面に気密にシールしてスライドする内径面と、後端面に前記デマンド・レバーの基端部と連繋する連繋溝が設けられる基端部弁体と、その両者を離隔して連結する中継部材により設けられ、該スライド弁は、その先端部弁体が、外端に摘み部を備える調整ネジの内端と圧縮バネを介在してデマンド・ボディ内で接続されてデマンド・レバーによるスライド方向と反対方向にスライド弁全体が付勢され、前記先端部弁体の弁座は、前記デマンド・ボディの噴出孔の中心に配備され、前記デマンド弁のノズル先端部と前記スライド弁の先端部弁体の弁座との接離により弁の開閉を行い、デマンド弁のノズル先端部から噴出する中圧空気を膨張・減圧し、減圧された空気はデマンド・ボディの噴出孔からケース内に送気され、前記スライド弁の先端部弁体と基端部弁体は同一端面積に形成され、減圧膨張時の空気の圧力に対して常に中立した応力により作動し、ダイバーの呼吸行為に追従して滑らかな呼吸が可能となる自給気式潜水呼吸装置（スクーバ）における第２段減圧部。
【実施例】
【００３４】
以下、本発明の自給気式水中呼吸装置１ｂの第２段減圧部Ｅｂを、実施例を示す図面、図７〜図１５により説明する。
【００３５】
本発明の自給気式水中呼吸装置１ｂの第２段減圧部Ｅｂは、従来の自給気式水中呼吸装置１ａと同様に、タンクＡのバルブＢを開けると、タンクＡの中の高圧空気（１５０〜２００ｋｇ／ｃｍ２）を第１段減圧部Ｃにより９〜１１ｋｇ／ｃｍ２の中圧空気に減圧し、この減圧した中圧空気を中圧ホースＤにより第２段減圧部Ｅｂへ送気し、該第２段減圧部Ｅｂにより環境圧に減圧してダイバーが呼吸するものである。
【００３６】
本発明の前記第２段減圧部Ｅｂは、デマンド弁１６ｂのノズル部１６ｂ１のノズル先端部１６ｂ１１をケース９ｂの中心まで延設し、ケース９ｂの中心にデマンド・ボディ１２ｂの噴出孔３６ｂを対応させて設け、前記、デマンド弁１６ｂのノズル先端部１６ｂ１１からの噴出空気が噴出孔３６ｂを通り最短距離でダイバーの肺に吸引されるように設けている。
【００３７】
前記実施例のデマンド弁１６ｂを構成するスライド弁２１ｂは、先端部弁体２１ｂ１の後端面２１ｂ１４と基端部弁体２１ｂ２の前端面２１ｂ２３にそれらを一体に連結する２本の連結部材２１ｂ３とから設けられる。
【００３８】
前記連結部材２１ｂ３による連結部分はデマンド・ボディ１２ｂの噴出孔３６ｂへの空気路３７を形成している。
【００３９】
前記先端部弁体２１ｂ１は、前記デマンド・ボディ１２ｂの内径面１２ｂ２に接触してスライド自在嵌装する外径面２１ｂ１１が形成され、該外径面２１ｂ１１に設けられるリング溝３８にはピストンリング（バックアップリング）１３としてＪＩＳ［Ｂ２４０７］に規定されている四弗化エチレン製のバックアップリングが１個所設置される。
【００４０】
前記先端部弁体２１ｂ１は、後端面２１ｂ１４に開口するゴム弁挿入部２１ｂ１５が配備され、弁座２０ｂを構成するゴム弁２０が設置されている。
【００４１】
前記先端部弁体２１ｂ１の前端面２１ｂ１３にはスプリング受け２１ｂ１６が形成されてスプリング２２の一端を接続し、スプリング２２の他端をスプリング受け２３を介して調節ネジ２５に連接している。この調節ネジ２５の外端の摘み部２７は、ケース９ｂの外部に配備され、外部からデマンド弁１６ｂのノズル先端部１６ｂ１１に当るスライド弁２１ｂのゴム弁２０の弁座２０ｂに対する圧力を調節できるように設けられる。
【００４２】
前記基端部弁体２１ｂ２は、前記デマンド・ボディ１２ｂの内径面１２ｂ２に接触してスライド自在嵌装する外径面２１ｂ２１と、前記デマンド弁１６ｂのノズル部１６ｂ１の外径面１６ｂ１２に接触してスライド自在嵌装する内径面２１ｂ２２とが夫々形成される。
【００４３】
前記基端部弁体２１ｂ２の外径面２１ｂ２１に形成されるリング溝３９にはピストンリング（バックアップリング）１４としてＪＩＳ［Ｂ２４０７］に規定されている四弗化エチレン製のバックアップリングが１個所設置される。基端部弁体２１ｂ２の内径面２１ｂ２２に形成されるリング溝４０にはピストンリング（バックアップリング）１５として同じくＪＩＳ［Ｂ２４０７］に規定されている四弗化エチレン製のバックアップリングが１個所設置される。
【００４４】
スライド弁２１ｂの基端部弁体２１ｂ２の後端面２１ｂ２４には、デマンド・レバー１９ｂの内側に折曲した基端部１９ｂ２、１９ｂ２が嵌挿される連繋溝３４ｂ、３４ｂが形成される。
【００４５】
前記デマンド・ボディ１２ｂの中圧ホース１７のジョイント１８の接続側の基端部１２ｂ４に前記デマンド・レバー１９ｂの内側に折曲した基端部１９ｂ２、１９ｂ２を嵌合して区画内に回動自在に保持する切欠部３３ｂが設けられる。
【００４６】
前記デマンド・レバー１９ｂは、従来の自給吸式水中呼吸装置１ａの第２段減圧部Ｅａのデマンド・レバー１９ａと同様に、先端部１９ｂ１は、ダイヤフラム５に連接・配備される。
【００４７】
図１０に示すように、ケース９ｂには開孔部９ｂ１が設けられ、ダイバーがくわえるためのマウス・ピース７が前記開口部９ｂ１に連通して配備されており、ダイバーが呼吸をすると図７のケース９ｂの内圧は潜水深度より負圧（１０〜５０ｍｍＨ２Ｏ）となるため、ダイヤフラム５が引き寄せられ、倍力とするための梃である前記デマンド・レバー１９ｂが図８に示すように倒されると、中圧空気を閉じていたデマンド弁１６ｂが開かれて中圧空気が噴出・減圧され、ダイバーは呼吸ができる。呼吸を止めると負圧（１０〜５０ｍｍＨ２Ｏ）がなくなるため、スプリング２２の作用でデマンド弁１６ｂは閉じる。
【００４８】
従来の自給気式水中呼吸装置１ａの第２段減圧部Ｅａを示す図２〜図６及び本発明の自給気式水中呼吸装置１ｂの第２段減圧部Ｅｂの実施例を示す図７〜図１５において、符号１はリングネジ、２はカバー、３はクリアボタン、６はダイヤフラム・ベース、８は結束バンド、１１は排気管、１２ｂ１はデマンド・ボディ１２ｂの外径面、１２ｂ３はデマンド・ボディ１２ｂの先端部、１２ｂ３２はデマンド・ボディ１２ｂの先端部１２ｂ３の先端部内径ネジ、２４は調節ネジ２５の外れ止めとなるクリップリング、２５ａはスライド弁２１ａの調節ネジ２５のネジ部、２５ｂはスライド弁２１ｂの調節ネジ２５のネジ部、２６は調節ネジ２５の軸部、２８は摘み止めネジであり、Ｏ−リング２９はリング溝４１、Ｏ−リング３０はリング溝４２、Ｏ−リング３１はリング溝４３、Ｏ−リング３２はリング溝４４に夫々嵌挿されて配備されるものである。
【００４９】
前記デマンド・レバー１９ｂの作動を実施例の構成に基いて説明すると、デマンド・レバー１９ｂの内側に折曲した基端部１９ｂ２、１９ｂ２は、スライド弁２１ｂの基端部弁体２１ｂ２の後端面２１ｂ２４に凹陥して設けた連繋溝３４ｂ、３４ｂに嵌挿され、基端部１９ｂ２、１９ｂ２の上縁１９ｂ２１、１９ｂ２１と下縁１９ｂ２２、１９ｂ２２は、連繋溝３４ｂ、３４ｂの溝内天面３４ｂ１、３４ｂ１と溝内床面３４ｂ２、３４ｂ２により上下が規制される。
【００５０】
また、デマンド・レバー１９ｂの基端部１９ｂ２、１９ｂ２は、デマンド・ボディ１２ｂの切欠部３３ｂに嵌挿され、基端部１９ｂ２、１９ｂ２の上縁１９ｂ２１、１９ｂ２１と基端部１９ｂ２、１９ｂ２の下縁１９ｂ２２、１９ｂ２２は切欠部３３ｂの切欠前面３３ｂ１と切欠後面３３ｂ２により前後が規制され全体が基端部１９ｂ２、１９ｂ２の下縁１９ｂ２２、１９ｂ２２を中心に起伏自在に支承される。
【００５１】
ダイバーが無呼吸の状態ではスプリング２２のバネ圧によりスライド弁体２１ｂが後方にスライドしてスライド弁２１ｂの先端部弁体２１ｂ１の弁座２０ｂにノズル先端部１６ｂ１１を当接して噴出を停止すると共にデマンド・レバー１９ｂを基端部１９ｂ２、１９ｂ２の下縁１９ｂ２２、１９ｂ２２を中心に全体を起立状態に回動する。
【００５２】
次に、ダイバーの吸気によりケース９ｂ内が負圧になり、ダイヤフラム５が引き寄せられ、デマンド・レバー１９ｂが図８に示すように倒され、デマンド・レバー１９ｂは基端部１９ｂ２、１９ｂ２の下縁１９ｂ２２、１９ｂ２２を中心に全体を前方へ傾動するから、基端部１９ｂ２、１９ｂ２の下縁１９ｂ２２、１９ｂ２２を切欠部３３ｂの切欠後面３３ｂ２に連接して上縁１９ｂ２１、１９ｂ２１を前方へ回動して、該上縁１９ｂ２１、１９ｂ２１をスライド弁２１ｂの連繋溝３４ｂ、３４ｂの溝内後面３４ｃ、３４ｃに連接して前方へ押し出すのでスライド弁２１ｂは前方にスライドし、先端部弁体２１ｂの弁座２０ｂをノズル先端部１６ｂ１１から離隔し、ノズル先端部１６ｂ１１を開孔し、中圧空気を噴出させるものである。
【００５３】
本発明の自給気式水中呼吸装置１ｂの第２段減圧部Ｅｂにおいて、ダイバーが排気をするとケース９ｂ内の圧力は潜水深度圧より高く（陽圧）になり、そのケース９ｂ内の空気は排気弁１０により外部へ排出されて元のバランスした空気圧になるものである。
【００５４】
前記デマンド弁１６ｂのノズル先端部１６ｂ１１が接面するゴム弁２０の弁座２０ｂはケース９ｂの中心、すなわち、デマンド・ボディ１２ｂの噴出孔３６ｂの直前に配置される。
【００５５】
前記スライド弁２１ｂは、先端部弁体２１ｂ１と基端部弁体２１ｂ２が前後に空気路３７を兼ねる連結部材２１ｂ３により連結される構造のため、全長が長くなるが、デマンド・ボディ１２ｂの内径面１２ｂ２を安定してスライドする。
【００５６】
前記中圧ホース１７のジョイント１８の内径ネジ１８ｂとデマンド・ボディ１２ｂの接続側の基端部外径面１２ｂ４１の基端部外径ネジ１２ｂ４１１が螺合・取り付けられ、ノズル基端部１６ｂ１３の基端部外径ネジ１６ｂ１３１１とデマンド・ボディ１２ｂの基端部内径面１２ｂ４２の基端部内径ネジ１２ｂ４２１とが螺合・取り付けられ、デマンド弁１６ｂのノズル部１６ｂ１のノズル基端部１６ｂ１３の外径面１６ｂ１３１とデマンド・ボディ１２ｂの基端部１２ｂ４の基端部内径面１２ｂ４２はＯ−リング４２により中圧シールされる。
【００５７】
従来の自給気式水中呼吸装置１ａにおける第２段減圧部Ｅａと同様に、本発明の自給気式水中呼吸装置１ｂの第２段減圧部Ｅｂにおいて、中圧ホースＤにより送られて来た中圧空気は、Ｏ−リング４２の中圧シールによりデマンド・ボディ１２ｂの基端部内径ネジ１２ｂ４２１とノズル基端部１６ｂ１３の基端部外径ネジ１６ｂ１３１１を強力な力で締め付ける働きをする。そのため、オスネジとメスネジとは完全に同一中心、同一軸となり、その間にできる空間は、完全な円筒径になる。この中をスライド弁２１ｂはスライドすることになるから非常に滑らかに作動する。
【００５８】
前記ピストンリング１３、ピストンリング１４、ピストンリング１５として使用するバックアップリングの本来の使用目的は、「気密保持」と「滑り軸受」にあり、デマンド弁１６ｂのノズル先端部１６ｂ１１から出た噴出空気がデマンド・ボディ１２ｂの噴出孔３６ｂ以外からケース９ｂの内に漏れることはない。
【００５９】
本発明の第２段減圧部Ｅｂの最大の利点は、前記デマンド弁１６ｂのノズル部１６ｂ１のノズル先端部１６ｂ１１と前記スライド弁２１ｂの先端部弁体２１ｂ１の弁座２０ｂにより構成される「弁」の開閉位置がケース９ｂの中心、すなわち、マウス・ピース７の直前にある。そのうえ、第１段減圧部Ｃから中圧ホース１７を通じて送られてくる中圧空気の管の断面積はデマンド弁１６ｂのノズル先端部１６ｂ１１と前記スライド弁２１ｂの先端部弁体２１ｂ１の弁座２０ｂとで構成される「弁」の開孔部までが同一断面積のままであり、中圧空気の流量抵抗が増大することは一切なく、スムーズな流れである。
【００６０】
デマンド弁１６ｂのノズル先端部１６ｂ１１から噴出された中圧空気は膨張・減圧が瞬時に起き、全ての空気がダイバーの肺に入るため呼吸に対する抵抗感が全くなく、非常に軽い呼吸となる。
【００６１】
さらに、前記作用を増幅させているのが、スライド弁２１ｂの形状である。スライド弁２１ｂは必ず膨張した中圧空気の「空気圧力」を受け、「応力」が発生し、「前方」または「後方」へ移動しようとするものであるが、本発明では圧力を受ける先端部弁体２１ｂ１及び基端部弁体２１ｂ２の端面の面積が完全に同一に形成されている。そのため、一方向の応力が全く発生せず（中立状態）、スライド弁２１ｂの中圧空気の減圧の状態、例えば、ダイバーの強い呼吸や弱い吸気、静かな吸気や激しい吸気、吸気と排気が激しく交互する呼吸などあらゆる呼吸の状態に対応して弁の開閉が作動する。
【００６２】
前記スライド弁２１ｂは、バックアップリングの持つ特性により非常に滑らかに作動し、従来の水中呼吸装置における吸気の脈動は完全に解消された。当社内の測定では、ダイバーの呼吸抵抗は５〜８ｍｍＨ２Ｏとなり、陸上の呼吸に近い状態になっている。
【００６３】
本発明の第２段減圧部Ｅｂは、眼と鼻を覆うハーフマスクと、顔全体、顎まで覆うフルフェースマスクを使用する。
【００６４】
本発明の第２段減圧部Ｅｂは、スクーバだけでなく、送気式水中呼吸装置（フーカー式）にも多く使用されている。その構造はスクーバの場合と全く同一であり、唯一の違いは送気式水中呼吸装置（送気式潜水マスク）が一次空気は船（陸）上に置いたコンプレッサーからホースによる送気を受けることである。送気圧力は７〜１４ｋｇ／ｃｍ２が殆どであるため、送気式水中呼吸装置の第２段減圧部の調節ネジは調節範囲がその圧力に対応するよう大きくとられているだけであり、その他の部品は全く同じである。そのため、本発明の第２段減圧部Ｅｂは、送気式水中呼吸装置にも適用されるものである。
【産業上の利用可能性】
【００６５】
本発明の自給気式又は送気式水中呼吸装置の第２段減圧部は、従来のこの種第２段減圧部の欠点を解消し、ほぼ陸上と同様の感覚で呼吸を可能としたものである。
【００６６】
本発明の自給気式又は送気式水中呼吸装置の第２段減圧部の基本的な構成部品は、従来品と変わりなく、組立、分解も非常に簡単に行えることが利点となっている。
【符号の説明】
【００６７】
１ａ  従来の自給気式水中呼吸装置
１ｂ  本発明の自給気式水中呼吸装置
１  リングネジ
２  カバー
３  クリアボタン
５  ダイヤフラム
６  ダイヤフラム・ベース
７  マウス・ピース
８  結束バンド
９ａ  ケース
９ａ１  開孔部
９ｂ  ケース
９ｂ１  開孔部
１０  排気弁
１１  排気管
１２ａ  デマンド・ボディ
１２ａ１  外径面
１２ａ２  内径面
１２ａ３  先端部
１２ａ３２  先端部内径ネジ
１２ｂ  デマンド・ボディ
１２ｂ１  外径面
１２ｂ２  内径面
１２ｂ３  先端部
１２ｂ３２  先端部内径ネジ
１２ｂ４  基端部
１２ｂ４１  基端部外径面
１２ｂ４１１  基端部外径ネジ
１２ｂ４２  基端部内径面
１２ｂ４２１  基端部内径ネジ
１３  ピストンリング（バックアップリング）
１４  ピストンリング（バックアップリング）
１５  ピストンリング（バックアップリング）
１６ａ  デマンド弁
１６ａ１  ノズル部
１６ａ１１  ノズル先端部
１６ｂ  デマンド弁
１６ｂ１  ノズル部
１６ｂ１１  ノズル先端部
１６ｂ１２  外径面
１６ｂ１３  ノズル基端部
１６ｂ１３１  基端部外径面
１６ｂ１３１１  基端部外径ネジ
１７  中圧ホース
１８  ジョイント
１８ｂ  内径ネジ
１９ａ  デマンド・レバー
１９ａ１  先端部
１９ａ２  基端部
１９ｂ  デマンド・レバー
１９ｂ１  先端部
１９ｂ２  基端部
１９ｂ２１  上縁
１９ｂ２２  下縁
２０  ゴム弁
２０ａ  弁座
２０ｂ  弁座
２１ａ  スライド弁
２１ａ３  前端面
２１ａ４  後端面
２１ａ５  ゴム弁挿入部
２１ａ６  スプリング受部
２１ｂ  スライド弁
２１ｂ１  先端部弁体
２１ｂ１１  外径面
２１ｂ１３  前端面
２１ｂ１４  後端面
２１ｂ１５  ゴム弁挿入部
２１ｂ１６  スプリング受部
２１ｂ２  基端部弁体
２１ｂ２１  外径面
２１ｂ２２  内径面
２１ｂ２３  前端面
２１ｂ２４  後端面
２１ｂ３  連結部材
２２  スプリング
２３  スプリング受け
２４  クリップリング
２５  調節ネジ
２５ａ  ネジ部
２５ｂ  ネジ部
２６  軸部
２７  摘み部
２８  摘み止めネジ
２９  Ｏ−リング
３０  Ｏ−リング
３１  Ｏ−リング
３２  Ｏ−リング
３３ａ  切欠部
３３ｂ  切欠部
３３ｂ１  切欠前面
３３ｂ２  切欠後面
３４ａ  連繋溝
３４ｂ  連繋溝
３４ｂ１  溝内天面
３４ｂ２  溝内床面
３４ｃ  溝内後面
３５  隙間通路
３６ａ  噴出孔
３６ｂ  噴出孔
３７  空気路
３８  リング溝
３９  リング溝
４０  リング溝
４１  リング溝
４２  リング溝
４３  リング溝
４４  リング溝
Ａ  タンク
Ｂ  バルブ
Ｃ  第１段減圧部
Ｄ  中圧ホース
Ｅａ  従来の自給気式水中呼吸装置の第２段減圧部  
Ｅｂ  本発明の自給気式水中呼吸装置の第２段減圧部
【図１】
2018167598.tif 000003
【図２】
2018167598.tif 000004
【図３】
2018167598.tif 000005
【図４】
2018167598.tif 000006
【図５】
2018167598.tif 000007
【図６】
2018167598.tif 000008
【図７】
2018167598.tif 000009
【図８】
2018167598.tif 000010
【図９】
2018167598.tif 000011
【図１０】
2018167598.tif 000012
【図１１】
2018167598.tif 000013
【図１２】
2018167598.tif 000014
【図１３】
2018167598.tif 000015
【図１４】
2018167598.tif 000016
【図１５】
2018167598.tif 000017